(57)【要約】【課題】通信環境下にある遠隔より、操作及び管理が可能なディフューザ装置、及びディフューザシステムを提供する。【解決手段】本発明は、貯蔵された芳香料を噴霧するカートリッジ装置１０と、サーバ装置２と通信自在でありサーバ装置２からの指令に基づいてカートリッジ装置による芳香料の噴霧を制御する制御部を備えた本体装置２０とを有するディフューザ装置１である。本体装置２０に複数のカートリッジ装置が装着される構成では、本体装置２０の制御部は複数のカートリッジ装置による芳香料の噴霧をそれぞれ制御する。【選択図】図１
2020062177.tif 000002
【特許請求の範囲】
【請求項１】
貯蔵された芳香料を噴霧するカートリッジ装置と、
前記カートリッジ装置が装着され、サーバ装置と通信自在であり、前記サーバ装置からの指令に基づいて、前記カートリッジ装置による芳香料の噴霧を制御する制御部を備えた本体装置と、を有する
ディフューザ装置。
【請求項２】
前記カートリッジ装置は複数あり、
前記本体装置には、前記複数のカートリッジ装置が装着され、前記制御部は前記複数のカートリッジ装置による芳香料の噴霧をそれぞれ制御する
請求項１に記載のディフューザ装置。
【請求項３】
前記制御部は、前記噴霧の時間を制御する
請求項１又は請求項２に記載のディフューザ装置。
【請求項４】
前記本体装置は重量センサを更に備え、
前記制御部は、前記重量センサの出力信号に基づいて前記芳香料の残量を演算し、前記残量の情報を前記サーバ装置に通知する
請求項１乃至請求項３のいずれか１項に記載のディフューザ装置。
【請求項５】
ディフューザ装置と、サーバ装置とからなるディフューザシステムであって、
前記ディフューザ装置は、
貯蔵された芳香料を噴霧するカートリッジ装置と、
前記カートリッジ装置が装着され、前記サーバ装置と通信自在であり、前記サーバ装置からの指令に基づいて、前記カートリッジ装置による芳香料の噴霧を制御する制御部を有する本体装置と、を備え、
前記サーバ装置は、
前記ディフューザ装置に指令を送出する操作指示部、を備えた
ディフューザシステム。
【請求項６】
前記カートリッジ装置は複数あり、
前記本体装置には、前記複数のカートリッジ装置が装着され、前記制御部は前記複数のカートリッジ装置による芳香料の噴霧をそれぞれ制御する
請求項５に記載のディフューザシステム。
【請求項７】
前記制御部は、前記サーバ装置からの指令に基づいて噴霧の時間を制御する
請求項５又は請求項６に記載のディフューザシステム。
【請求項８】
前記本体装置は、重量センサを更に備え、
前記サーバ装置は、前記ディフューザ装置の状態を管理する状態管理部を更に備え、
前記制御部は、前記重量センサの出力信号に基づいて前記芳香料の残量を演算し、前記残量の情報を前記サーバ装置に通知し、前記状態管理部は、前記通知に基づいて前記ディフューザ装置の状態を管理する
請求項５乃至請求項７のいずれか１項に記載のディフューザシステム。
【請求項９】
ユーザの端末装置を更に備え、
前記噴霧の時間は、前記端末装置からの指示に基づいて前記サーバ装置が管理する
請求項７に記載のディフューザシステム。
【発明の詳細な説明】
【技術分野】
【０００１】
本発明は、例えば、ＩｏＴ（Internet of Things）環境下、遠隔より操作及び管理が可能なディフューザ装置、及びディフューザシステムに関する。
【背景技術】
【０００２】
従来、室内空間を快適な環境にするために、香料を微粒子化して噴霧するディフューザ装置が広く用いられている。このディフューザ装置によれば、ユーザの嗜好に合わせた香りを室内空間に充満させることで、環境をより良いものとすることができる。そして、この種のディフューザ装置については、種々の提案がなされている。
【０００３】
例えば、香料を供給する香料供給容器と、直方柱形状の圧力室を底部に設けた香料収納容器と、圧力室の側壁面の一部に形成した、表面に撥液性皮膜を施した香料噴霧用のノズルと、ノズルと対抗する圧力室の側壁面に、圧力室に供給された香料に急激な圧力振動波を生じさせるピエゾ駆動式圧力振動波発生手段とで構成し、且つ、ノズルと、圧力室と、圧力振動波発生手段とを下部液面を低位置に配し、電気信号に応じてノズルから香料の微小液滴を吐出／停止させるよう構成する香り発生器がある（特許文献１等参照）。
【先行技術文献】
【特許文献】
【０００４】
【特許文献１】特開平５−３１７４００号公報
【発明の概要】
【発明が解決しようとする課題】
【０００５】
しかしながら、特許文献１に開示された技術は、装置単体で液体香料を微粒子化して噴霧することに主眼が置かれたものであり、ＩｏＴ環境下で、遠隔から装置本体に対する操作や管理を可能とするものではない。
【０００６】
本発明は、このような課題に鑑みてなされたものであり、その目的とするところは、通信環境下にある遠隔より、操作及び管理が可能なディフューザ装置、及びディフューザシステムを提供することにある。
【課題を解決するための手段】
【０００７】
上記課題を解決するため、本発明の一の態様に係るディフューザ装置は、貯蔵された芳香料を噴霧するカートリッジ装置と、前記カートリッジ装置が装着され、サーバ装置と通信自在であり、前記サーバ装置からの指令に基づいて、前記カートリッジ装置による芳香料の噴霧を制御する制御部を備えた本体装置と、を有する。
【０００８】
本発明の他の態様に係るディフューザシステムは、ディフューザ装置と、サーバ装置とからなるディフューザシステムであって、前記ディフューザ装置は、貯蔵された芳香料を噴霧するカートリッジ装置と、前記カートリッジ装置が装着され、前記サーバ装置と通信自在であり、前記サーバ装置からの指令に基づいて、前記カートリッジ装置による芳香料の噴霧を制御する制御部を有する本体装置と、を備え、前記サーバ装置は、前記ディフューザ装置に指令を送出する操作指示部、を備えている。
【０００９】
本発明によれば、通信環境下にある遠隔より、操作及び管理が可能なディフューザ装置及びディフューザシステムを提供することができる。
【図面の簡単な説明】
【００１０】
【図１】本発明の一実施形態に係るディフューザシステムの構成図である。
【図２】同システムにおけるディフューザ装置のカートリッジ装置の構成図である。
【図３】同システムにおけるディフューザ装置の本体装置の構成図である。
【図４】同システムにおけるサーバ装置の構成図である。
【図５】図５（ａ）はユーザテーブルの構成例を示し、図５（ｂ）はカートリッジテーブルの構成例を示し、図５（ｃ）は本体テーブルの構成例を示す図である。
【図６】本発明の一実施形態に係るディフューザシステムにおける端末装置の構成図である。
【図７】本発明の一実施形態に係るディフューザシステムによる処理手順を示すフローチャートである。
【図８】同システムにおける端末装置における表示画面を示す図である。
【図９】同端末装置における他の表示画面を示す図である。
【図１０】本発明の一実施形態に係るディフューザシステムによる他の処理手順を示すフローチャートである。
【図１１】同端末装置における他の表示画面を示す図である。
【図１２】本発明の一実施形態に係るディフューザシステムにおけるディフューザ装置のカートリッジ装置の構成図である。
【図１３】同システムにおけるディフューザ装置の本体装置の構成図である。
【図１４】同システムにおけるディフューザ装置の構成図である。
【発明を実施するための形態】
【００１１】
以下、図面を参照しつつ本発明の一実施形態について説明する。
【００１２】
図１には、本発明の一実施形態に係るディフューザシステムの構成を示し説明する。
【００１３】
同図に示されるように、ディフューザシステムは、貯蔵された芳香料を噴霧するディフューザ装置１と、サーバ装置２とを有する。これにユーザの端末装置３を加えてディフューザシステムとすることもできる。ユーザの端末装置３としては、スマートフォン、タブレット端末、ノートパソコン、ＰＤＡ（Personal Digital Assistant）等を採用することができる。ディフューザ装置１は、カートリッジ装置１０と本体装置２０とで構成されている。この例では、本体装置２０に、複数のカートリッジ装置１０が装着されている。各カートリッジ装置１０として、異なる芳香料を貯蔵したものを採用できる。
【００１４】
ディフューザ装置１とサーバ装置２とユーザの端末装置３とは、例えば、インターネット等の通信網を介して、無線又は有線で接続されている。特に、ディフューザ装置１の本体装置２には、無線通信機能が実装されており、家庭内のＷｉＦｉ（登録商標）等を介して通信網４に接続されている。
【００１５】
このような構成において、ディフューザ装置の本体装置２０は、サーバ装置２からの指令に基づいて、カートリッジ装置１０による芳香料の噴霧を制御する。複数のカートリッジ装置１０が装着されている場合には、各カートリッジ装置１０による噴霧を個別に制御することもできる。この制御としては、例えば、噴霧の時間をタイマ等で計時して管理して、開始時間になったときに噴霧を開始し、終了時間になったときに噴霧を終了するなどの制御が考えられる。この開始時刻、及び終了時刻は、端末装置３からの指令に基づいて設定することが可能である。
【００１６】
ディフューザ装置１の本体装置２０は、重量センサを備えており、重量センサの出力信号に基づいてカートリッジ装置１０の芳香料の残量を演算し、残量の情報を、通信網４を介してサーバ装置２に通知する。サーバ装置２では、カートリッジ装置１０の残量を管理しており、残量が少なくなったときには、ユーザの端末装置３に、カートリッジ装置１０の購入の推奨の案内を通知する。ユーザは、端末装置３で、画面操作を行うことで、所望とするカートリッジ装置１０の購入の申し込みをすることもできる。
【００１７】
図２には、本発明の一実施形態に係るディフューザシステムにおけるディフューザ装置のカートリッジ装置の構成を示し説明する。
【００１８】
同図に示されるように、ディフューザ装置１のカートリッジ装置１０は、カートリッジ装置１０の各部の御を司る制御部１１を備えている。制御部１１は、記憶部１２、入出力インタフェース（以下、Ｉ／Ｆ）１３と接続されている。記憶部１２には、カートリッジＩＤ等が予め記憶されている。Ｉ／Ｆ１３には、電源供給端子１６と制御端子１７が設けられている。カートリッジ装置１０は、更に芳香料の貯蔵部１８を備えており、その下方の流路には、加熱振動部１４とノズル１５とが配設されている。加熱振動部１４は、例えばセラミック振動子等で構成されている。これら加熱振動部１４やノズル１５も、制御部１１に接続されており、その駆動が制御されるようになっている。
【００１９】
このような構成において、カートリッジ装置１０が本体装置２０に装着されると、制御端子１７を介して本体装置２０にカートリッジＩＤが送られる。一方、本体装置２０からの制御信号は制御端子１７を介して制御部１１に送られ、制御部１１は、この制御信号に基づいて加熱振動部１４やノズル１５を駆動制御する。それにより、芳香料は、加熱振動部１４の加熱により沸騰され気化膨張された後、加熱振動部１４の高周波振動により微粒子化され、ノズル１５より放出される。本体装置２０から制御端子１７を介して駆動終了の制御信号を制御部１１が受信すると、制御部１１は、加熱振動部１４やノズル１５の駆動を停止する。
【００２０】
図３には、本発明の一実施形態に係るディフューザシステムにおけるディフューザ装置の本体装置の構成を示し説明する。
【００２１】
同図に示されるように、本体装置２０は、全体の制御を司るＣＰＵ（Central Processing Unit）等の制御部２１と、通信Ｉ／Ｆ２２と、重量センサ２３と、表示部２４と、記憶部２５と、電源２６と、発光部２７と、通信部２８と、操作部２９と、を有する。制御部２１は、各部２２乃至２９に接続されている。
【００２２】
Ｉ／Ｆ２２は、カートリッジ装置１０の電源供給端子１６、制御端子１７と接続される端子を備え、カートリッジ装置１０との通信を行うものである。重量センサ２３は、装着されたカートリッジ装置１０の重量を測定するセンサである。発光部２７は、ＬＥＤ（Light Emitting Diode）等で構成されており、カートリッジ装置１０の貯蔵部に向けた導光路を介して芳香料等に対して光を照射するものである。尚、これらＩ／Ｆ２２、重量センサ２３、及び発光部２７は、装着可能なカートリッジ装置１０の数と同数だけ設けられることになる。
【００２３】
表示部２４は、必須の構成ではないが、本体装置２の駆動状態等を示すものである。記憶部２５は、ＲＡＭ（Random Access Memory）やＲＯＭ（Read Only Memory）等のメモリで構成されており、本体ＩＤやカートリッジ装置１０のカートリッジＩＤ、駆動情報等を記憶するものである。電源２６は、制御部２１に電源供給するバッテリや電池等で構成されている。通信部２８は、ＷｉＦｉ（登録商標）等により、通信網４を介してサーバ装置２等と通信を行う通信インタフェースである。そして、操作部２９は、電源をＯＮ／ＯＦＦする操作スイッチ等で構成されている。
【００２４】
このような構成において、本体装置２０にカートリッジ装置１０が装着されると、制御部２１は、Ｉ／Ｆ２２を介して、カートリッジ装置１０のカートリッジＩＤを受信し、記憶部２５に記憶すると共に、通信部２８を介してサーバ装置２に本体ＩＤとカートリッジＩＤとを送信する。サーバ装置２からの操作指示を、通信部２８を介して受信すると、制御部２１は、操作指示に基づいてカートリッジ装置１０を駆動すべく、Ｉ／Ｆ２２を介してカートリッジ装置１０に駆動に係る制御信号を送出する。また、制御部２１は、重量センサ２３の出力信号に基づいて、各カートリッジ装置１０の重量を求め、当該重量に基づいて各カートリッジ装置１０の芳香料の残量を求め、記憶部２５にカートリッジＩＤと紐づけて記憶する。制御部２１は、定期的に、このカートリッジ装置１０の芳香料の残量の情報を、通信部２８を介してサーバ装置２に送信する。
【００２５】
図４には、本発明の一実施形態に係るディフューザシステムにおけるサーバ装置の構成を示し説明する。
【００２６】
同図に示されるように、サーバ装置２は、サーバ装置全体の制御を司る制御部３１を備えている。制御部３１は、通信部３２、記憶部３３と接続されている。制御部３１は、ＣＰＵやＭＰＵで構成されている。通信部３２は、ネットワークインタフェースカード（NIC；Network Interface Card）等により実現されるもので、通信網４を介してディフューザ装置１等と通信を行う通信インタフェースである。記憶部３３はＲＡＭ、ＲＯＭ等のメモリやハードディスクドライブ等で構成されており、制御部３１で実行されるプログラムを記憶している。記憶部３３は、更にユーザ情報記憶部３４、カートリッジ情報記憶部３５、及び本体情報記憶部３６を有している。
【００２７】
ここで、図５（ａ）にはユーザ情報記憶部３４に記憶されているユーザテーブルの構成例を示し、図５（ｂ）にはカートリッジ情報記憶部３５に記憶されているカートリッジテーブルの構成例を示し、図５（ｃ）には本体情報記憶部３６に記憶されている本体テーブルの構成例を示し、説明する。
【００２８】
図５（ａ）に示されるように、ユーザテーブルでは、ユーザＩＤと紐づけられて、ユーザの名前、メールアドレス、アカウントパスワード、ｔｈｉｎｇｉｄ（使用しているハードウェアがＷｉＦｉに繋がったときに端末装置３とディフューザ装置１とがセットであるということを示す証明書（ディフューザ装置の数だけ発行））、及びディフューザ装置１の使用履歴（タイマやトライなど）等が記憶されている。
【００２９】
図５（ｂ）に示されるように、カートリッジテーブルでは、カートリッジＩＤと紐づけられて、芳香料種別、及び残量等が記憶されている。
【００３０】
図５（ｃ）に示されるように、本体テーブルでは、本体ＩＤと紐づけられて、ファームウェア情報、ディフューザ装置固有のＷｉＦｉ、使用履歴（タイマやトライなど）、ｔｈｉｎｇｉｄ、ユーザＩＤ、カートリッジＩＤ等が記憶されている。
【００３１】
このような構成において、制御部３１は、記憶部３３に記憶されたプログラムを読み出して実行することで、受付部３１ａ、操作指示部３１ｂ、状態管理部３１ｃ、決済部３１ｄ、及び通知部３１ｅとして機能する。
【００３２】
受付部３１ａは、ユーザの端末装置３からのタイマの設定等に係る指令を受け付ける。操作指示部３１ｂは、各ディフューザ装置に対して、設定されたタイマ情報等に基づいて、所定時間になると、操作指示を送信する。状態管理部３１ｃは、ディフューザ装置１から送信されるカートリッジ装置１０の残量等の状態を管理する。決済部３１ｄは、ユーザの端末装置３よりカートリッジ装置１０の購入の申し込みがなされ、成約した場合にカートリッジ装置１０の代金の支払いの電子決済を行う。そして、通知部３１ｅは、状態管理部３１ｃにより管理されているカートリッジ装置１０の残量が少なくなったときなどに、ユーザの端末装置３に対して購入を推奨する電子メール等を送信する。
【００３３】
図６には、本発明の一実施形態に係るディフューザシステムにおける端末装置の構成を示し説明する。
【００３４】
同図に示されるように、端末装置３は、全体の制御を司るＣＰＵ等の制御部４１を備えている。制御部４１は、通信部４２、操作部４３、表示部４４、及び記憶部４５と接続されており、これらにより端末装置３は構成されている。通信部４２は、通信網４を介してサーバ装置２等と通信するための通信インタフェースである。操作部４３は、マウスやキーボード等の操作デバイスである。表示部４４は、液晶ディスプレイ等の表示デバイスである。これら操作部４３と表示部４４をタッチパネルとして一体化してもよい。
【００３５】
記憶部４５は、ＲＡＭやＲＯＭ等のメモリやハードディスクドライブ等で構成されており、制御部４１で実行されるプログラムを記憶している。
【００３６】
このような構成において、制御部４１は、記憶部４５のプログラムを読み出し実行することで、指令部４１ａ、送信部４１ｂ、受信部４１ｃ、及び表示制御部４１ｄ等として機能する。指令部４１ａは、操作部４３の操作により設定されたタイマ等の設定を行い、送信部４１ｂは、タイマ等の設定に係る情報等をサーバ装置２に送信する。受信部４１ｃはサーバ装置２から送信されてきたＨＴＭＬ形式等の表示データを受信する。そして、表示制御部４１ｄは、表示データに基づいて表示部４４による表示を制御する。
【００３７】
以下、図７のフローチャートを参照して、本発明の一実施形態に係るディフューザシステムによる処理手順を詳細に説明する。ここでは、図８及び図９の画面表示例を適宜参照しつつ説明を進める。
【００３８】
端末装置３において、アプリケーションプログラムが起動されると（Ｓ１）、例えば図８に示されるような画面において、ディフューザ装置１の駆動時間を設定することが可能となる。この図８の例では、複数の駆動時間を設定することができ、図９に示される詳細画面では、駆動するカートリッジ装置１０の種別と、駆動時間、噴霧の強弱を設定することが可能となっている。これら設定がなされると、指令部４１ａは、タイマの設定等に係る情報を本体ＩＤ、カートリッジＩＤ等と対応付けて指令情報とし、送信部４１ｂが指令情報をサーバ装置２へと送信する（Ｓ２）。
【００３９】
サーバ装置２では、この端末装置３からの指令情報を受信すると（Ｓ３）、受付部３１ａが指令情報を受け付け、記憶部３３のカートリッジ情報記憶部３５、本体情報記憶部３６の記録を更新する（Ｓ４）。そして、操作指示部３１ｂは、計時しているタイマが所定時間となるまで、上記処理を繰り返し（Ｓ５をＮｏ）、所定時間となると（Ｓ５をＹｅｓ）、対応するディフューザ装置１に対して、操作指示情報を送出する（Ｓ６）。この操作指示情報には、駆動すべきカートリッジ装置１０のＩＤも含まれる。
【００４０】
ディフューザ装置１では、本体装置２０の通信部２８がこの操作指示を受信し（Ｓ７）、制御部２１が、操作指示情報に含まれるカートリッジＩＤに対応するカートリッジ装置１０を駆動制御する（Ｓ８）。
【００４１】
次に、図１０のフローチャートを参照して、本発明の一実施形態に係るディフューザシステムによる他の処理手順を示詳細に説明する。
【００４２】
ディフューザ装置１の本体装置２０は、制御部２１が重量センサ２３の出力信号に基づいて各カートリッジ装置１０の芳香料の残量を検出している。そして、この残量の情報は定期的に通信部２８を介してサーバ装置２に送出される（Ｓ１１）。
【００４３】
サーバ装置２では、受付部３１ａが、この残量情報を受け付け、カートリッジ情報記憶部３５の情報を更新する（Ｓ１２）。状態管理部３１ｃが、残量不足か否かを判断し、残量不足と判断されるまで（Ｓ１３をＮｏ）、上記処理を繰り返し、残量不足と判断されると（Ｓ１３をＹｅｓ）、通知部３１ｅがユーザの端末装置３に対してカートリッジ装置１０の購入を推奨する通知を行う（Ｓ１４）。この通知は、アプリケーションに基づく画面上でその旨を通知する手段のほか、電子メールによる通知であってもよい。
【００４４】
端末装置３では、この通知を受信部４１ｃが受信し、表示部４４に購入推奨に係る表示を行う（Ｓ１５）。そして、端末装置３より購入依頼がなされると（Ｓ１６）、サーバ装置２は、受付部３１ａが当該依頼を受け付け（Ｓ１７）、購入するカートリッジ装置１０の種別や数の特定を行い、成約後に決済部３１ｄが電子決済を行う（Ｓ１８）。
【００４５】
なお、ユーザの端末装置３では、例えば、図１１に示されるようなオペレーション画面において、各カートリッジ装置１０の芳香料の種別や残量をリアルタイムで確認可能となっているので、その画面で各カートリッジ装置１０の状態を把握して、自ら能動的に購入の手続を進めることも可能である。この画面において、ダイレクトコネクトモードが選択されると、ユーザの端末装置３とディフューザ装置１とが直接無線接続され、直接的な駆動制御を指示することも可能となる。
【００４６】
最後に、図１２には、本発明の一実施形態に係るディフューザシステムにおけるディフューザ装置のカートリッジ装置１０の外観構成を示し、図１３には、同システムにおけるディフューザ装置の本体装置２０の外観構成を示し、図１４には、同システムにおけるディフューザ装置１の外観構成を示し、説明する。
【００４７】
図１２に示されるように、カートリッジ装置１０は、本体上部は透明なガラス製となっており、芳香料の様子を目視できるようになっている。先に説明した通り、本体装置２０の発光部２７からの光が貯蔵部１８の下方より芳香料に照射されるので、見た目にも美しい。本体の下部１０ａには、開口部１０ｂが設けられており、当該開口部１０にノズル１５が配設されており、微粒子化された芳香料が噴霧されることになる。
【００４８】
図１３に示されるように、本体装置２０は、上部平面上に４本のカートリッジ装置１０を装着する凹部２０ａ乃至２０ｄが設けられている。この凹部には、Ｉ／Ｆ２２の接続端子が配設されている。更に、側面には操作部２９に相当する電源のＯＮ／ＯＦＦスイッチが設けられている。
【００４９】
実際に本体装置２０にカートリッジ装置１０を装着した様子は図１４に示される通りであり、本体装置２０の上部平面の上に４本のカートリッジ装置１０が所定の間隔を隔てて並列に立設されるようになっている。このとき、各カートリッジ装置１０のノズルは同じ方向を向くようにカートリッジ装置１０は配置される。貯蔵部１８が透明なガラス等により構成されており、前述したように異なる芳香料を貯蔵したカートリッジ装置１０を採用できるので、発光部２７により照射される様子は、各カートリッジ装置１０で異なる様子となり、見た目にも極めて美しい。
【００５０】
以上説明したように、本発明の一実施形態によれば、通信環境にある遠隔より駆動制御と状態管理とを行うことができるディフューザ装置、及びディフューザシステムを提供することができる。ユーザは、スマートフォンによりディフューザ装置１の駆動をタイマ等で予約することもできるので、例えば、帰宅前に駆動するように設定すれば、帰宅時には芳香で室内が満たされ快適な環境になっている。
【００５１】
また、異なる芳香料を貯蔵した複数のカートリッジ装置を装着可能であるので、時間帯ごとに噴霧する芳香料の種別を変えることが可能である。従って、例えば、読書中は集中力が高まるような芳香、就寝前はやすらぎをもたらすような芳香、と適宜選択、駆動予約することが可能である。
【００５２】
以上、本発明の一実施形態について説明したが、本発明はこれに限定されることなくその趣旨を逸脱しない範囲で種々の改良・変更が可能であることは勿論である。
【００５３】
例えば、本体装置に、実装する複数のカートリッジ装置の形状や大きさを異なるものとしてもよい。即ち、頻繁に駆動するカートリッジ装置は容量を大きなものとし、まれにしか使用しないカートリッジ装置は容量を小さくするなど、柔軟に設計できる。
【符号の説明】
【００５４】
１…ディフューザ装置、２…サーバ装置、３…端末装置、４…通信網、１０…カートリッジ装置、１１…制御部、１２…記憶部、１３…Ｉ／Ｆ、１４…加熱振動部、１５…ノズル、１６…制御端子、１７…電源端子、１８…貯蔵部、２０…本体装置、２１…制御部、２２…Ｉ／Ｆ、２３…重量センサ、２４…表示部、２５…記憶部、２６…電源部、２７…発光部、２８…通信部、２９…操作部、３１…制御部、３１ａ…受付部、３１ｂ…操作指示部、３１ｃ…状態管理部、３１ｄ…決済部、３１ｅ…通知部、３２…通信部、３３…記憶部、３４…ユーザ情報記憶部、３５…カートリッジ情報記憶部、３６…本体情報記憶部、４１…制御部、４１ａ…指令部、４１ｂ…送信部、４１ｃ…受信部、４１ｄ…表示制御部、４２…通信部、４３…操作部、４４…表示部、４５…記憶部。
【図１】
2020062177.tif 000003
【図２】
2020062177.tif 000004
【図３】
2020062177.tif 000005
【図４】
2020062177.tif 000006
【図５】
2020062177.tif 000007
【図６】
2020062177.tif 000008
【図７】
2020062177.tif 000009
【図８】
2020062177.tif 000010
【図９】
2020062177.tif 000011
【図１０】
2020062177.tif 000012
【図１１】
2020062177.tif 000013
【図１２】
2020062177.tif 000014
【図１３】
2020062177.tif 000015
【図１４】
2020062177.tif 000016